(57)【要約】【課題】照明カバーの固定部材が不要であり、しかも水密すべき箇所を少なくする等、照明装置自体の構成が比較的簡単で、しかも設置、メインテナンスの作業も簡単であり、天井に段差なく見栄えが良く、安定して設置可能な照明装置を実現する。【解決手段】浴室の天井２３の開口３８に設置される照明装置１は、ランプ５が固定される照明本体２と、ランプ５を浴室内に露出させずに保護する照明カバー３を備えており、照明カバー３を浴室の天井２３の開口３８の周囲に天井２３の裏側から水密部材であるパッキン４４を介して設置し、その後、照明カバー３に照明本体２をネジ１２、３７等の固定手段で固定する。【選択図】図１
2014029786.tif 000002
【特許請求の範囲】
【請求項１】
ランプが固定される照明本体と、ランプを浴室内に露出させずに保護する照明カバーを備えた浴室の天井の開口に設置される照明装置において、照明カバーを浴室の天井の開口の周囲に天井裏側から設置する構成とし、照明カバーに照明本体を固定手段で固定することを特徴とする照明装置。
【請求項２】
請求項１に記載の照明装置において、照明カバーと天井開口の周囲との設置部は上部設置部と下部設置部を備え、下部設置部に水密部材が設けられていることを特徴とする照明装置。
【請求項３】
請求項１または２に記載の照明装置において、照明本体にはランプ交換用の開閉部が設けられていることを特徴とする照明装置。
【請求項４】
請求項３に記載の照明装置において、ランプ交換用の開閉部は、天井の点検用開口に向けて開くように設けられていることを特徴とする照明装置。
【発明の詳細な説明】
【技術分野】
【０００１】
本発明は、照明装置に関し、特に、浴室の天井に設置される照明装置に関するものである。
【背景技術】
【０００２】
従来、照明本体を天井に埋め込み、天井から下方に向けて照明するダウンライト照明装置が、ユニット浴室用の照明装置等に利用されている（特許文献１、２参照）。
【０００３】
図６は、ダウンライト照明装置の構成の一例を示す図である。このダウンライト照明装置１０１おいては、照明本体１０２を、天井１０３に形成された取付け孔１０４に下方から挿入し、天井１０３を照明本体１０２の挟み込み部材１０５と下端のフランジ１０６の間に挟み込んで固定するものである。照明本体１０２の下端フランジ１０６と天井１０３との間には、水密部材としてパッキン１０７が装着される。
【０００４】
そして、下方から照明カバー１１０を、その外周部１１２と天井１０３との間に水密部材としてパッキン１１３を介して下方から押しつけるようにし、その弾性を有する固定部材１１４を、照明本体１０２の内部に取付けられた係止部１１５に係止させ、照明本体１０２を下方から覆うようにして取付けるものである。
【０００５】
図６に示す照明装置では、天井１０３の下面と照明カバー１１０の下面に上下方向に段差が生じるが、このような段差のない照明装置が知られている。段差のない照明装置の一例として、天井の裏側に取付けた照明器具に、下方から照明カバーをネジで取付けた構成が知られている（特許文献３参照）。
【０００６】
また、照明装置の別の例として、断面矩形の長細い照明装置を左右の天井パネルの内端部の側板間に挟むように配置し、締着して成るユニットバスの天井に設けられる照明装置が知られている（特許文献４参照）。
【先行技術文献】
【特許文献】
【０００７】
【特許文献１】特開２００２−１３３９４１号公報
【特許文献２】特開平７−１８９５１０号公報
【特許文献３】実公昭６１−１９４４８号公報
【特許文献４】特開２０１２−４８９２０号公報
【発明の概要】
【発明が解決しようとする課題】
【０００８】
従来のダウンライト照明装置の問題点を、その代表的な例である図６に示す照明装置において説明すると次のとおりである。
（１）上記のとおり、天井１０３の下面と照明カバー１１０の下面に上下方向に段差が生じ、見栄えが悪い。
【０００９】
（２）水密すべき箇所は、照明本体１０２のフランジ１０６と天井１０３の間、及び照明カバー１１０と天井１０３の間の２カ所が必要となるので、パッキン１０７等の水密部材の部品点数が多くなり、部品不良や施工不良による漏水の可能性が高くなる。
（３）照明カバー１１０を照明本体１０２に下から押しつけて固定する構成であるので、部品点数（例えば、照明カバーの固定部材１１４等）が多くなり、構成としても複雑となる。
【００１０】
特許文献４に示す、照明装置を左右の天井パネルの内端部の側板間に挟んで締着して成る構成では、天井パネルを移動したりしなくてはならないので、その設置やメインテナンス等の作業が面倒となるものと考えられる。
【００１１】
本発明は、上記従来の問題を解決することを目的とするものであり、照明カバーの固定部材等が必要なく、しかも水密すべき箇所を少なくする等、照明装置自体の構成が比較的簡単である照明装置を実現することを課題とする。
【課題を解決するための手段】
【００１２】
本発明は上記課題を解決するために、ランプが固定される照明本体と、ランプを浴室内に露出させずに保護する照明カバーを備えた浴室の天井の開口に設置される照明装置において、照明カバーを浴室の天井の開口の周囲に天井裏側から設置する構成とし、照明カバーに照明本体を固定手段で固定することを特徴とする照明装置を提供する。
【００１３】
照明カバーと天井開口の周囲との設置部は上部設置部と下部設置部を備え、下部設置部に水密部材が設けられている構成としてもよい。
【００１４】
照明本体にはランプ交換用の開閉部が設けられていることが好ましい。
【００１５】
ランプ交換用の開閉部は、天井の点検用開口に向けて開くように設けられていることが好ましい。
【発明の効果】
【００１６】
本発明によると、次のような効果が生じる。
（１）照明カバーを天井の裏側から載置し照明装置を取付ける構成としたので、照明カバーを照明本体下方から押し込むようにして取付ける従来例に比べて、照明カバーに取付用の固定部材等の部品を設ける必要がなく、簡単な構成で安定して天井に設置することができる。
【００１７】
（２）構成強度を特に大きくする必要はなく、材料の薄肉化、簡素化が可能となる。特に、水密箇所を減らすことができ、パッキンの取付けや、交換の作業も少なくなり、パッキンの破損による漏水の危険性も少なくなる。
【図面の簡単な説明】
【００１８】
【図１】本発明に係る照明装置の実施例１を説明する図であり、（ａ）は全体構成を示し、（ｂ）、（ｃ）は（ａ）の要部を示す図である。
【図２】実施例１の照明装置を示し、（ａ）は照明装置の破断図を示し、（ｂ）は天井裏に照明装置が設置された状態を示す斜視図である。
【図３】本発明に係る照明装置の実施例２を説明する図であり、（ａ）は全体構成を示し、（ｂ）は（ａ）の要部を示す図である。
【図４】本発明に係る照明装置の実施例３を説明する図であり、（ａ）は全体構成を示し、（ｂ）、（ｃ）は（ａ）の要部を示す図である。
【図５】（ａ）、（ｂ）は上記実施例１の変形例を示し、（ｃ）、（ｄ）は上記実施例３の変形例を示す。
【図６】従来例を説明する図であり、（ａ）は全体構成を示し、（ｂ）は（ａ）の要部を示す図である。
【発明を実施するための形態】
【００１９】
本発明に係る照明装置を実施するための形態を実施例に基づき図面を参照して、以下説明する。
【実施例】
【００２０】
（実施例１）
照明装置の構成：
本発明に係る照明装置の実施例１を図１、図２において説明する。実施例１の照明装置１は、照明本体２と、照明カバー３と、ソケット４と、ランプ（電球）５と、を備えている。
【００２１】
照明本体２は、全体としては円筒状に形成されており、頂壁９と円筒壁１０とを有し、底部が開口されている。円筒壁１０には、その一部にランプ５の交換用の開閉部１１が形成されている。円筒壁１０の下端部の外周面にはネジ１２が形成されている（図１（ｂ）参照）。頂壁９には、ソケット４の取付用の円孔１３が形成されている。
【００２２】
なお、この実施例１では、照明本体２は、円筒状に形成されているが、平面視で、四角形状や楕円形状など、円筒状の構成に限定されるものではない。もっとも、四角形状や楕円形状などの照明本体２の下端部は、その外周面に上記同様のネジ１２が形成されるように、円筒状に形成されている必要がある。
【００２３】
ランプ５の交換用の開閉部１１は、円筒壁１０に形成された開閉孔１８と、開閉孔１８の側縁部にヒンジ等を介して開閉可能に取付けられた開閉扉１９とを有している。照明本体２は、その開閉部１１が、浴室の天井２３に形成された点検用開口２４に向けて設置されていると、ランプ５の取付け、交換等のメインテナンス作業上、都合がよい。
【００２４】
照明カバー３は、樹脂材等から製造され、天井に取付けるための装着部２７と、浴室内に面した底部２８とから一体的に形成されている。
【００２５】
装着部２７は、円筒上部３１と、円筒上部３１の上端から外側に張り出した上部フランジ３２と、円筒上部３１の下端から内側に張り出した下部フランジ３３と、下部フランジ３３の内周縁から下方に向けて形成された円筒下部３４と、から成る（図１（ｂ）参照）。
【００２６】
円筒上部３１の内周面には、ネジ３７が形成されている。このネジ３７に、照明本体２の円筒壁１０の外周面のネジ１２が螺着され、照明本体２が円筒上部３１に取付けられる。要するに、照明カバー３に照明本体２を固定する固定手段として、照明本体２の円筒壁１０の外周面及び照明カバー３の円筒上部３１の内周面に、それぞれネジ１２、３７が形成されている。
【００２７】
なお、照明カバー３に照明本体２を固定する固定手段として、照明カバー３に照明本体２をネジで固定するのではなく、他の固定手段で照明カバー３に照明本体２を固定する構成としてもよい。
【００２８】
例えば、図５（ａ）に変形例を示すが、照明カバー３の円筒上部３１の内周面に、テーパ面を有する係合突起（又は爪）５１を突出するように形成し、照明本体２の外周面に係合凹部５２を形成しておき、照明本体２を上方から押し込むようにして嵌合し、テーパ面を有する係合突起５１を係合凹部５２内に弾力的に嵌入して係合する構成としてもよい。
【００２９】
或いは、図５（ｂ）に別の変形例を示すが、照明カバー３の円筒上部３１の内周面に、係合凹部５３を形成しておき、照明本体２の外周面に係合突起（又は爪）５４を形成しておき、照明本体２を上方から押し込むようにして嵌合し、テーパ面を有する係合突起５４を弾力的に係合凹部５３内に嵌入して係合する構成としてもよい。
【００３０】
照明カバー３の底部２８は、ランプ５を浴室内に露出させずに、浴室からの湯気等から保護する機能を有し、ランプ５の光を透過させるように透明もしくは半透明に形成されている。底部２８の外周は、円筒下部３４の下端に連成している。
【００３１】
照明カバー３は、後記する天井２３の開口３８に設置した際に、底部２８の下面２９と天井２３の下面２５の間に段差が生じない面一の状態となるように構成されている。そのために、底部２８の下面から下部フランジ３３の下面までの寸法ｈは、天井２３の開口３８の小径口部３９の厚さｔ及びパッキンの厚さｐの合計と、略同じ寸法に形成されている（図１（ｃ）参照）。          
【００３２】
ソケット４は、ランプ５を螺着して着脱可能に取付けるものであり、照明本体２の頂壁９に形成された円形のソケット４の取付用の円孔１３に、回転可能に嵌合するように設けられている（図１（ａ）参照）。
【００３３】
天井への設置構造、作用等：
以上のような構成の照明装置１の構成をさらに明確にするために、照明装置１の天井２３への設置構造を、その設置工程とともに説明する。この照明装置１を設置する天井２３には、照明装置１の設置用の開口３８及び点検用開口２４が形成されている（図２（ｂ）参照）。
【００３４】
開口３８は、平面視で円形であり、垂直断面は段状（クランク状）に形成されている。具体的には、開口３８は、環状の水平な棚面４１を介して、小径口部３９と大径口部４０とを有している（図１（ｂ）参照）。
【００３５】
点検用開口２４は、常時は、図示しないカバー又は扉で閉じられているが、照明装置１を設置する際、ランプ交換等のメインテナンスの際に、開いて、作業者が天井２３の裏側に身体を入れることができる。
【００３６】
照明装置１を天井２３に設置するために、まず、照明カバー３を開口３８に設置する。そのために、水密部材としてパッキン４４を開口３８の棚面４１の上に載置する。そして、パッキン４４の上に照明カバー３の下部フランジ３３が載せられ、上部フランジ３２が天井２３の開口３８の周囲上面に載せられるように、照明カバー３を上方から開口３８に嵌合する。
【００３７】
その後、上部フランジ３２を天井２３の開口３８の周囲上面にビス４５で固定する。このようにして、照明カバー３は、その下面が天井２３の下面と面一の状態となるように、開口３８に設置される。
【００３８】
実施例１では、照明カバー３を天井２３に設置する設置部として、上部フランジ３２を天井２３の開口３８の周囲に載せて設置する上部設置部４８と、下部フランジ３３を天井２３の開口３８周囲の棚面４１の上にパッキン４４を介して載せて設置する下部設置部４９を備えている。
【００３９】
照明カバー３を開口３８に設置した後、上方から、照明本体２のネジ１２を照明カバー３のネジ３７にねじ込んで螺着し、これによって、照明本体２を、照明カバー３に取付ける。
【００４０】
その後、開閉部１１を開いて、ランプ５をソケット４内にネジ込んで取付けると、図２（ａ）、（ｂ）に示すように、照明装置１が天井の裏側に設置された状態となる。なお、照明本体２を照明カバー３に取付ける前に、予めランプ５をソケット４内にネジ込んで取付けておいてもよい。
【００４１】
照明装置１は以上のように、照明カバー３の上部フランジ３２を、天井２３の裏側から開口３８の周縁の天井２３の上面に載せ固定して設置し、これに照明本体２を上方からねじ込んで固定する構成を特徴とする。
【００４２】
従って、照明カバー３を下方から押し込むようにして設置する従来例に比べて、照明カバー３に取付用の固定部材等の部品を設ける必要がなく、簡単な構成で安定して天井２３に設置することができ、天井２３の強度を特に大きくする必要もなく、材料の薄肉化、簡素化が可能となる。
【００４３】
そして、点検用開口２４から身体を入れて、天井２３の裏側から照明装置１を設置し、メインテナンスも可能であるので、浴室の下方から上方を向いて作業する場合に比べて、作業がし易い。
【００４４】
特に、照明本体２に開閉部１１を設け、開閉扉１９を開いて、ランプ５の取付け、交換、その他のメインテナンス作業ができるので、作業もし易くなる。交換作業等のメインテナンス時以外は、開閉扉１９を閉めておけば、光が天井２３の裏側に漏れ出て分散するようなことがなく、浴室内のみを照射するので、照度が暗くなるようなことがない。
【００４５】
なお、開閉部１１を、天井２３の点検用開口２４の方向に向けて照明本体を設置しておけば、照明装置１の設置、ランプ５の交換等のメインテナンス等が、よりし易くなる。
【００４６】
また、天井２３に設置された照明装置１において、照明本体２は天井２３の裏面側に配置され、また照明カバー３のうち、透明な底部２８以外は、開口３８内及び天井２３の裏面側に配置されるので、浴室側に露出されることがないので、見栄えを損なうことがない。
【００４７】
特に、天井２３の下面２５と照明カバー３の底部２８の下面２９とは面一の状態に取付けられ、天井２３の下面２５と底部２８の下面の間に段差が生じないので、また、照明カバー３のうち、浴室側に露出される部分は、透明の底部２８のみであり、従来例のように、透明の部分と非透明の部分が共に露出されるようなことがないので、見栄えを損なうことがない。
【００４８】
水密部材としてパッキン４４は、照明カバー３の下部設置部４９、即ち照明カバー３の下部フランジ３３と天井２３の開口３８の環状の棚面４１の間にのみ配置することで、水密を確保する構成としているので、図６に示す従来例のように２カ所に設ける必要もなく、水密箇所を減らすことができ、パッキン４４の点数が少なく、構成も簡単となり、パッキン４４の取付けや、交換の作業も少なくなり、パッキン４４の破損による漏水の危険性も少なくなる。
【００４９】
（実施例２）
本発明に係る照明装置１の実施例２を図３において説明する。実施例２の照明装置１は、実施例１の照明装置１と同じ構成であるが、設置する天井の厚さが比較的小さく、薄肉に形成されている場合に適用されるもので、その設置構造が異なる。実施例２では、実施例１と相違する構成を中心に説明し、実施例２において、実施例１と同じ構成については同じ符号を使用する。
【００５０】
照明カバー３を天井６０の開口３８に設置する場合は、実施例１と同様に、下部フランジ３３をパッキン４４を介して開口３８の周囲の天井６０の上面に載置する。そして、上部フランジ３２のネジ止め箇所と天井６０の間に補強材６１を配置する。
【００５１】
補強材６１は、その高さ（上下方向の厚さ）ｇは、下部フランジ３３をパッキン４４を介して開口３８の周囲の天井６０の上面に載置した際の、上部フランジ３２の下面と天井６０の上面の間の間隔ｓと略同じ寸法に形成されている。
【００５２】
また、補強材６１は、平面視では、上部フランジ３２の周方向に間隔をおく複数のネジ止め箇所にそれぞれ対応して、円状、弧状等の構成とする。或いは、上部フランジ３２の下面に沿って周方向に連続的に配設されるように、平面視で環状の構成としてもよい。
【００５３】
実施例２では、実施例１と同様の作用効果が生じるだけでなく、照明カバー３を天井６０の開口３８に設置する場合に、天井６０の厚さが比較的に薄くても、補強材６１で開口３８の周囲を補強して設置できるので、設置強度、安定性は十分確保できる。
【００５４】
（実施例３）
本発明に係る照明装置１の実施例３を図４において説明する。実施例３は、実施例１と略同じ構成であり、その作用効果も同じであるので、相違する構成を中心に説明する。実施例３において、実施例１と同じ構成については同じ符号を使用する。
【００５５】
実施例３の照明装置７０の照明カバー７１は、実施例１と同様に、天井２３に取付ける装着部７２と、浴室内に面した底部７３とから一体的に形成されている。装着部７２は、円筒部７４と、円筒部７４の上端から外側に張り出したフランジ７５と、から成る。
【００５６】
円筒部７４の内周面には、実施例１と同様に、ネジ７９が形成されている（図４（ｂ）参照）。これによって、ネジ７９に照明本体２の円筒壁１０の外周面のネジ１２をねじ込んで螺着することで、照明本体２を照明カバー７１に取付けることができる。
【００５７】
底部７３は、その外周において円筒部７４の下端に連成されている。そして、底部７３は、実施例１と同様に、ランプ５を浴室内に露出させず、浴室からの湯気等から保護する機能を有し、ランプ５の光を透過させるように透明もしくは半透明に形成されている。
【００５８】
照明カバー７１は天井２３の開口８１に装着した際に、実施例１と同様に、底部７３の下面８２と天井２３の下面２５の間に段差が生じない面一の状態となるように構成されている。そのために、底部７３の下面８２からフランジ７５の下面までの寸法ｆは、天井２３の厚さｔ及びパッキン４４の厚さｐの合計と、略同じ寸法に形成されている（図４（ｃ）参照）。
【００５９】
実施例３の照明装置７０を設置する天井２３は、照明装置７０の設置用の開口８１及び、実施例１と同様に点検用開口が形成されている。開口８１は、平面視で円形であるが、実施例１のように垂直断面は段状（クランク状）には形成されておらず、単なる円筒状の開口である（図４（ｂ）参照）。
【００６０】
照明装置７０を天井２３に設置するために、まず、照明カバー７１の円筒部７４を上方から開口８１に挿入し、フランジ７５を、水密部材であるパッキン８４を介して、天井２３の開口８１の周囲の上面に載せる。
【００６１】
そして、フランジ７５をビス８５で天井２３に固定する。この場合、照明カバー７１の底部７３の下面８２と天井２３の下面２５とは、段差の生じない面一の状態となるように取付けられる。
【００６２】
照明カバー７１を天井２３の開口８１に設置した後、実施例１と同様に、照明本体２のネジ１２を、照明カバー７１のネジ７９に上方からねじ込むようにして螺着する。これによって、照明本体２を照明カバー７１に固定する。
【００６３】
その後、実施例１と同様に、開閉部１１を開いて、ランプ５をソケット４内にネジ込んで取付ければよい。なお、照明本体２を照明カバー３に取付ける前に、予めランプ５をソケット４内にネジ込んで取付けておいてもよい。
【００６４】
実施例３についても、照明カバー７１を天井２３の開口８１に固定する固定手段は、フランジ７５を天井２３にネジで固定するのではなく、他の固定手段で固定してもよい。
【００６５】
例えば、図５（ｃ）に変形例を示すように、照明カバー７１の円筒部７４の内面に、テーパ面を有する係合突起（又は爪）８８を突出するように形成し、対応する照明本体２の外面に係合凹部８９を形成しておき、照明カバー７１を上方から押し込むようにして開口８１に嵌合し、テーパ面を有する係合突起８８を係合凹部８９内に弾力的に係合する構成としてもよい。
【００６６】
或いは、図５（ｄ）に別の変形例に示すように、照明カバー７１の円筒部７４の内面に、係合凹部９１を形成し、対応する照明本体２の外面にテーパ面を有する係合突起（又は爪）９２を突出するように形成しておき、照明カバー７１を上方から押し込むようにして開口８１に嵌合し、テーパ面を有する係合突起９２を係合凹部９１内に弾力的に係合する構成としてもよい。
【００６７】
また、実施例３についても、天井２３の厚さが比較的小さい薄肉状に形成されている場合は、実施例２と同様に、天井２３とフランジ７５の間に、図示しないが、補強材６１を配置する構成としてもよい。
【００６８】
以上、本発明に係る照明装置を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６９】
本発明に係る照明装置は上記のような構成であるから、浴室の天井だけでなく、洗面所やキッチン等、湯気が発生するような場所の天井にも適用可能である。
【符号の説明】
【００７０】
１  照明装置                                     
２  照明本体                                     
３  照明カバー                                   
４  ソケット                                     
５  ランプ（電球）                               
９  照明本体の頂壁                               
１０  照明本体の円筒壁                           
１１  照明本体の開閉部                           
１２  照明本体のネジ                             
１３  照明本体のソケット取付用の円孔             
１８  開閉部の開閉孔                             
１９  開閉部の開閉扉                             
２３  天井                                       
２４  天井の点検用開口                           
２５  天井の下面                                 
２７  照明カバーの装着部                         
２８  照明カバーの底部                           
２９  底部の下面                                 
３１  装着部の円筒上部                           
３２  装着部の上部フランジ                       
３３  装着部の下部フランジ                     
３４  装着部の円筒下部                                   
３７  照明カバーのネジ                           
３８  天井の開口                                 
３９  天井の開口の小径口部                       
４０  天井の開口の大径口部                       
４１  天井の開口周囲の環状の水平な棚面           
４４  パッキン（水密部材）                       
４５  照明カバーを天井に固定するビス             
４８  上部設置部                                 
４９  下部設置部                                 
５１  テーパ面を有する係合突起（又は爪）         
５２  係合凹部                                   
５３  係合凹部                                   
５４  テーパ面を有する係合突起（又は爪）                   
６０  天井                                       
６１  補強材                                     
７０  照明装置                                   
７１  照明カバー                                 
７２  照明カバーの装着部                         
７３  照明カバーの底部                           
７４  装着部の円筒部                             
７５  装着部のフランジ                           
７９  照明カバーのネジ                           
８１  天井の開口                                 
８２  底部の下面                                 
８４  パッキン
８５  ビス                                 
８８  テーパ面を有する係合突起（又は爪）         
８９  係合凹部                     
９１  係合凹部                   
９２  テーパ面を有する係合突起（又は爪）           
１０１  照明装置                                 
１０２  照明本体                             
１０３  天井                                     
１０４  取付け孔                               
１０５  挟み込み部材                             
１０６  フランジ                                 
１０７  フランジ用のパッキン
１１０  照明カバー                       
１１２  照明カバーの外周部                    
１１３  照明カバー用のパッキン                                 
１１４  照明カバーの固定部材                     
１１５  照明本体の内部の係止部               
１１６  照明カバーの透明部
１１７  照明カバーの不透明部                               
【図１】
2014029786.tif 000003
【図２】
2014029786.tif 000004
【図３】
2014029786.tif 000005
【図４】
2014029786.tif 000006
【図５】
2014029786.tif 000007
【図６】
2014029786.tif 000008